(57)【要約】      （修正有）【課題】商品を載せる陳列用具であって、その前面に商品名やその他の商品に関する各種の情報を表示するようにした紙類にて形成したもので、少なくとも表示内容が明瞭に見得るように一定の形状を保持し得るようにする。【解決手段】商品を載せる底面板３２とこの底面板より垂直に伸びる背面板３３と、この背面板より前方で斜め下方に伸びる表示面３１ａを有する前面板３１よりなり、前面板を断面形状が長楕円形状に似た形状の筒状にして、表示面上に表示されている表示内容が常に明瞭に見得るように、前面板が背面板に対し所望の傾斜角を保つようにした。【選択図】図１
0003106292.tif 000002
【実用新案登録請求の範囲】
【請求項１】
底面板と、前記底面板に対し垂直に伸びる背面板と、前記背面板の上側端部付近より前方で斜め下方に伸びる表示面を有する前面板とよりなり、前記底面板上に商品を載せて使用する商品陳列用具であって、前記前面板がその断面形状が上下方向に長い長楕円に似た形状である筒状をなすことを特徴とする紙類にて形成された商品陳列用具。
【請求項２】
前記前面板が表示面と裏面とよりなる１枚の厚紙を前記表示面と裏面との境界線において裏側に折り返し、前記表示面と前記裏面とを互いに反対方向を向けて湾曲させて断面が長楕円に似た形状にした請求項１の商品陳列用具。
【請求項３】
前記前面板の裏面の両端を夫々外側に凸の弧状とし、前記弧状の付近を折り曲げることにより前記弧状部分が表示板を押圧して前記前面板が断面長楕円に似た形状を保持するようにしたことを特徴とする請求項２の商品陳列用具。
【請求項４】
前記背面板がその断面形状が上下方向に長い長方形をなす筒状であることを特徴とする請求項１、２又は３の商品陳列用具。
【請求項５】
前記筒状の背面板が、その前面板側とは反対側の面にコの字状の切り込みを設け形成した支持片を少なくとも一つ有し、この支持片を筒状の背面板内に押し込むことにより前記前面板が筒状を保持するようにしたことを特徴とする請求項４の商品陳列用具。
【考案の詳細な説明】
【技術分野】
【０００１】
本考案は商品陳列棚等において使用する商品陳列用具で、陳列する商品に関する物品名や商品情報を表示するための商品表示部分の構成等に特徴を有する商品陳列用具に関するものである。
【背景技術】
【０００２】
従来の商品陳列用具は、図７に示すような構成で、前面には商品名、種類やその他商品に関する情報等を表示する表示板１を有し、また、商品を載せるための底板２と底板２よりほぼ垂直に伸び、またその上側端部に表示部１を接続してこれを支持する背面板３を有する形状のものである。
【０００３】
この商品陳列用具は、一般に合成樹脂や厚紙等にて形成される。
【０００４】
これら商品陳列用具のうち厚紙等の紙類にて形成される商品陳列用具は、一枚の厚紙を所定の形状、大きさにしたものを、更に折り目を形成し、この折り目部分より折って例えば図７に示すような形状に組み立てて形成する。
【０００５】
このような厚紙製の商品陳列用具は、使用中に折った部分が簡単に伸びる（折る前の元の状態またはそれに近い状態にもどる）。そのために表示部の表示内容が見にくくなりあるいは全く見えなくなる等の欠点がある。
【０００６】
特に、図７に示す形状の厚紙製商品陳列用具で、しかも背面板３の上端部から下方に折り曲げた表示板１は、図示する形状を保ちにくく、先端部分が上昇し折る前あるいはそれに近い状態にもどり好ましくない。この商品表示板１の先端が上昇した場合、その前面に表示されている商品名等の表示内容を見ることが出来ず、表示部としての役割を全くなさないことになる。
【０００７】
この欠点を解消するために、表示板１と背面板３の裏側に、金属片又はプラスチック片等を貼りつけることにより、図７に示す状態を保持するようにしたものが知られている。
【０００８】
しかし、このような手段は、商品部品の数が増し、商品陳列用具の作成が面倒になり、コスト高になり、また、不要になり廃棄する際、前記の金属片やプラスチック片を除去した後に再使用可能な一般の廃棄物と産業廃棄物として処理しなければならない等の問題もある。
【０００９】
以上の問題を解決するために本考案の出願人は、次に述べるような厚紙製の商品陳列用具を考案し、実用新案登録第３１０３７３７号として登録された。この実用新案の商品陳列用具は図８、図９に示す通りである。
【００１０】
これら図において、１は前面板（表示板）、２は底板、３は背面板で、これらは、図７に示す従来の商品陳列用具と実質上同じ構成である。
【００１１】
しかし、図８に示す商品陳列用具は、紙類にて形成されている点と、前面板（表示板）１と背面板３との間に幅が比較的小である接続部４を有することと、この接続部４と前面板１とが接する線状部分が前方に緩く突出した凸形状をした曲線１０をなすように構成された点で、図７の商品陳列用具とは相違する。
【００１２】
このように、この商品陳列用具は、前面板（表示板）１と背面板３との間に接続部４を設け、前面板（表示板）１と接続部４とを曲線１０にて結んだことにより、紙類にて形成しても前面板（表示板）１はほぼ所望の傾斜角を保持することになる。
【００１３】
そして、前面板（表示板）１の表面つまり図８の右側の面に商品に関する情報を印刷等の手段にて表示するかあるいは前記表面に商品情報を記したものを貼る等の適宜手段にて表示したものを、図８に示す状態にて商品棚等に配置し、底面板上に商品を載せて用いるものである。
【００１４】
図９は、前記実用新案の商品陳列用具の組み立て前の紙片を示す図で、１は前面板（表示板）の部分、２は底面板の部分、３は背面板の部分、４は接続部である。また、破線１０、１１、１２、１３、１４、１５にて示す部分は、折り曲げ用の線を示し、折り曲げ易いように溝を形成してある。
【００１５】
この紙片の折り曲げ線１０、１１、１２、１３を折り曲げて図８に示す商品陳列用具を形成する。
【００１６】
つまり、表示板１の部分を線１０に沿って紙面反対側へ折り曲げ、背面板３の部分を線１２に沿って紙面反対側へ曲げ、底面板２の部分を線１１に沿って紙面前方へ曲げることにより形成される。
【００１７】
尚、線１４に沿って折り曲げ、更にその先を切り込み２０に挿入して、底板３に対し背面板２が直角に保持される。
【００１８】
また、線１３に沿って前面板（表示板）１の先の部分６を紙面の反対側へ折るようにしている。つまり、図８に示す前面板（表示板）１の先の部分６のようになる。これにより前面板（表示板）１の先端が重くなり、一層前面板１の傾斜角を常に所望の角に保ち得る上で、更に効果的である。
【００１９】
この図８に示す商品陳列用具は、表示板１の線１０の部分を曲線状にしたことにより、表示板１をほぼ所望の傾斜角を保持するようにしているが、長期間の使用により表示板１の傾斜角が変化することがある。更に底面板２に対し背面板３を垂直に起立させる必要があり、そのために図８に符号７にて示す支持板が必要になる。
【００２０】
この支持板７を有することにより、これが商品陳列の邪魔になり複数の商品陳列用具を並べ配置して長く配置したときにこの支持板７がこの各商品陳列板の境界部分に障壁が置かれた構成になり、商品の長さ、形状等によっては、商品を配列するための効率が低下する等の欠点がある。
【考案の開示】
【考案が解決しようとする課題】
【００２１】
本考案は、曲線状部分を形成することなしに、前面板が常に所望の傾斜角度を保ち、また支持板を設けることなしに底面板と背面板とが互いに直角になるようにした厚紙等の紙類にて形成された商品陳列用具を提供するものである。
【課題を解決するための手段】
【００２２】
本考案の商品陳列用具は、底面板と、この底面板に対して垂直に伸びる背面板と、背面板の上側端付近より前方で下方に傾斜させて伸びる前面板とよりなり、底面板上に陳列すべき商品を置いて使用するもので、陳列する商品の情報を前面板表面に印刷その他の手段にて表示する陳列用具であって、前面板が中央にて若干のふくらみを有する断面が長楕円に似た形状をなす筒状の部材としたことを特徴とする。
【００２３】
本考案の商品陳列用具は、以上のような特徴を有することにより、前面板が常に所望の傾斜角にて前方で下方に向けて保持され、したがって、前面板の前方の面である表示面に表示された商品に関する情報が、常に見易い状態を保っている。
【００２４】
また、本考案の商品陳列用具は、底面板と、これに垂直に伸びる背面板と、背面板の上端付近より前方で下方に向けて傾斜させて伸びる前面板とよりなり、背面板の断面形状が、上下に長い長方形状をなす筒状であることを特徴とする。    この本考案の商品陳列用具は、背面板が底面板に対し直角に伸びる断面形状が長方形である筒状であるので、この背面板は、底面板に対し常にほぼ直角方向に伸び、しかも、長期間使用してもその形状を保持するものである。
【００２５】
本考案の商品陳列用具は、前述のように背面板が断面長方形状であって、背面板がその商品を置く側の面に、適宜な切り込みを形成したもので、この切り込み部分を筒状の背面板の内方へ折り曲げることにより、背面板が断面長方形状の筒状を維持し、背面板が常に底面板に対し直角になるようにした。
【００２６】
本考案の商品陳列用具は、表示板を形成する長方形状部分とその先端より伸びこの長方形状部分とほぼ同一形状、ほぼ同一面積の他の長方形状部分とを厚紙にて一体に形成し、他の長方形状部分を表示板を形成する長方形状部分の裏側へ折り曲げて両長方形状部分が全体として断面がほぼ楕円形状の筒状になるようにしたものである。
【００２７】
また、本考案の商品陳列用具は、底面板を形成する長方形状部分とその一端より伸びる他の長方形状部分とよりなり、他の長方形状部分を更に４箇所にて折り曲げることにより、底面板を形成する長方形状部分に対して直角に配置された筒状の背面板を形成することにより、１枚の厚紙により、底面板と断面長方形の背面板とを一体に形成したものである。
【００２８】
更に、本考案の商品陳列用具は、前述のような前面板を形成するために１枚の厚紙により形成された商品表示部に糊代を設け、この糊代を用いて、１枚の厚紙にて一体に形成した底面板と背面板のうちの筒状の背面板の上側端面にて両者を貼り付けて形成したものである。
【考案の効果】
【００２９】
本考案の商品陳列用具は、表示板を断面が長楕円に似た形状の筒状にしたことにより常に所望の傾斜角度を保持し、したがって、常に商品に関する情報が最も見易い状態に保持される。また、本考案の商品陳列用具は、背面板が上下方向に長い断面長方形状の筒状をなし、したがって、背面板が底面板に対し垂直に保持され、表面板をその上側端部より所望角度にて斜め前方に伸びた状態を保持し得る。
【考案を実施するための最良の形態】
【００３０】
本考案の商品陳列用具の実施の形態を図をもとに説明する。
【実施例１】
【００３１】
図１は、本考案の商品陳列用具を示す斜視図である。また図２は、図１に示す商品陳列用具の平面図、正面図、背面図で、（Ａ）が平面図、（Ｂ）が正面図、（Ｃ）が背面図である。これら図において、３１は前面板（表示板）で商品表示面３１ａとその裏側に商品表示面３１ａと対称な形をなす裏面３１ｂとよりなり、全体として断面形状が図示するような円弧を対称に配置した長楕円に似た形状をしている。
【００３２】
３２は、商品が置かれる底面板で、その先端には断面が上下方向に長い長方形の筒状をした背面板３３が一体に形成されている。
【００３３】
本考案の商品陳列用具は、前面板３１が図示するような断面長楕円形に似た形状の筒状であり、そのため、断面が長方形の筒状の背面板３３の商品表示部側の面３３ｃにて一定の傾斜角にて保持される。また、背面板３３は、断面長方形の筒状であるため、底面板３２に対して直角な状態を保持する。
【００３４】
このように、図１、図２に示す本考案の商品陳列用具は、底面板３２に対し垂直に保持された背面板３３の前方に所望の傾斜角度にて傾斜した表示部（前面板）３１を設けた構成である。そして、底面板３２には商品が置かれ陳列される。また、この商品に関する情報が前面板３１の前面（表示面）３１ａに印刷等により表示される構成である。
【００３５】
しかも、本考案の商品陳列用具は、すべてが厚紙等の紙類にて形成されているにも拘らず、前述のように、図示された状態が保持されるため、商品陳列用具としては望ましい形状が長期間にわたり保持される。
【００３６】
ここで、図１に示すように、断面が長楕円形状の前面板３１の裏面３１ｂの両端の３１ｃの部分を内側に折り曲げることにより、前面３１ａを湾曲させると共に、前面（表示面）３１ａと裏面３１ｂ全体が断面長楕円に似た形状となりしかもそのままの状態にて保持し得る。
【００３７】
図５は、本考案の前面板を表示面とは反対側より見たものの一部分を拡大した図である。
【００３８】
この図５の（Ａ）に示す前面板３１の裏面３１ｂの端部に形成された円弧状をなす部分３１ｅを押し込むことにより、全体として断面が長楕円に似た形状となる。しかも、３１ｅに示す部分により表示面３１ａは、常に湾曲した形状を保持し、しかも長い期間保持することが可能である。
【００３９】
また、この商品陳列用具は、長方形の筒状体よりなる背面板３３の後側の面３３ａに図２の（Ｃ）に示すような支持片３４が少なくとも一つ形成されている。この支持片３４は、背面板３３の後方の面にコの字状にて切り込み３３ｅを入れて形成したもので、支持片３４を筒状の背面板３３の内部に押し込むことにより、この支持片３４により筒状の背面板３３のうちの前側の面３３ｃと上下の面（３３ｂ，３３ｄ）の三つの面が押し込まれた支持片３４の縦と上下の辺に接することになる。これにより、筒状の背面板３３に力が加わっても変形することがない。したがって、背面板３３は、常に底面板３２に対し垂直な状態を保持し得る。そのため、コの字状の支持片３４は、上下の辺３４ｂ，３４ｃの長さが背面板３３の断面長方形の短い方の辺の長さ（図２の（Ａ）に記入した長さｔ１）と、また縦の辺３４ａの長さが背面板３３の高さ（図２の（Ｃ）に記入した長さｔ２）と夫々ほぼ等しくなるようにすることが望ましい。尚、符号３４ａ，３４ｂ，３４ｃは、次に述べる図６に記入してある。
【００４０】
図６は、背面板の支持片３４の部分を拡大して示した斜視図で、支持片３４を内部へ押し込んだ状態を示している。この図６のように、支持片３４が筒状の背面板３３の内部に押し込まれた状態では、その辺３４ａが背面板３３の面３３ｃにほぼ接し、また上下の辺３４ｂ，３４ｃが背面板３３の面３３ｂ，面３３ｄとほぼ接することになる。尚辺３４ｄは背面板３３の面３３ａと一体である。
【００４１】
したがって、この支持辺３４により、背面板３３は、所定の筒状を保持することになる。
【００４２】
また、この背面板３３に設ける支持片３４は、一つでもよいが、図２の（Ｃ）に示すように二つあるいはそれ以上の適宜数設けることが望ましい。特に背面板３３の長さが長い場合、少なくとも二つの支持片を設けることが望ましい。
【００４３】
次に図１、２に示す本考案の商品陳列用具を厚紙にて作成する方法について説明する。
【００４４】
図３は、本考案の商品陳列用具の前面板３１の組み立て前の形状を示す図である。この図に示す前面板３１は、１枚の厚紙よりなり、表示面３１ａと裏面３１ｂとにて構成されている。尚、３１ｃ、３１ｄは、いずれも糊代である。
【００４５】
この１枚の厚紙にて図３に示すような形状にした前面板（表示板）３１は、折り曲げ線３１ｒにて表示面３１ａに対し裏面３１ｂを図３の紙面に対し反対側へ折り曲げ、更に折り曲げ線３１ｓに沿って糊代部分３１ｃを折り曲げ、この糊代３１ｃを利用して、表示面３１ａの裏に裏面３１ｂを貼り付けて、図１に示すような前面板３１を形成する。
【００４６】
一方、同様に１枚の厚紙にて形成された図４に示す形状の底面板３２と背面板３３を一体化した部材を用いて底面板、背面板を一体に形成する。
【００４７】
即ち、底面板３２と背面板３３との境界である折り曲げ線３２ｒにて折り曲げて背面板３３を全体を図４の紙面前方に折り、更に背面板３３内の折り曲げ線３３ｒ、３３ｓ、３３ｔにて面３３ａ、３３ｂ、３３ｃ、３３ｄを反対側へ折り曲げ、これにより、上下方向に長い断面長方形状の筒状体が形成される。つまり筒状の背面板３３が形成される。
【００４８】
ここで、背面板３３の底面側になる面３３ｄは上側面になる面３３ｂよりも図面上下方向の長さが長い。したがって、前述のように背面板３３を折り曲げたときに、面３３ｄはその一部が底面板３２と重なる。この面３３ｄと底面板３２との重なる部分を利用して、背面板３３の面３３ｄを底面板３２に貼り付けることにより、底面板３２に対し背面板３３が垂直に伸びる形状の部材が形成される。
【００４９】
このようにして、図４に示す厚紙を組み立てた底面板３２と背面板３３を一体にした部材に、図３にて示す厚紙を組み立てた部材（前面板）３３を、前面板３３の糊代３１ｄを背面板３３の上側の面３３ｂに接合することにより、図１に示す本考案の商品陳列用具が形成される。
【００５０】
ここで、両部材を貼り合わせて全体を一体にする前あるいは後のいずれかにおいて、図３の３１ｅの部分を内側に曲げ図５の（Ｂ）のようにし、また図４における支持片３４を押し込んで図６に示すようにすることにより、表示板の筒状体及び背面板の筒状体が変形しないようにする。
【産業上の利用可能性】
【００５１】
本考案の商品陳列用具は、例えば、商品陳列棚等において使用するもので、この商品陳列用具の底面板状に商品を載せ、またこの商品に関する情報その他を前面板の表示面に表示するものである。そして、この表示面が常にほぼ一定の傾斜角を保持するため、表示内容が見易い状態を保ち得る。更に背面板を筒状としたことにより、何らの支えなしに背面板が垂直に保持され、したがって、商品陳列用具を複数並べて配置したときに各陳列用具の境界に障壁を生ずることなく、商品を置く上で好ましい。
【図面の簡単な説明】
【００５２】
【図１】本考案の商品陳列用具の斜視図
【図２】図１における平面図、正面図、背面図
【図３】図１に示す商品陳列用具における前面板の組み立て前の図
【図４】図１に示す商品陳列用具における底面板と背面板を一体にした組み立て前の図
【図５】図１に示す商品陳列用具における前面板の一部分を後側より見た斜視図
【図６】図１に示す商品陳列用具における背面板の一部分を後側より見た斜視図
【図７】従来の商品陳列用具の斜視図
【図８】従来の他の商品陳列用具の斜視図
【図９】図８に示す従来の商品陳列用具の組み立て前の図
【符号の説明】
【００５３】
３１      前面板
３１ａ    表示面
３１ｂ    裏面
３２      底面板
３３      背面板
３４      支持片
【図１】
0003106292.tif 000003
【図２】
0003106292.tif 000004
【図３】
0003106292.tif 000005
【図４】
0003106292.tif 000006
【図５】
0003106292.tif 000007
【図６】
0003106292.tif 000008
【図７】
0003106292.tif 000009
【図８】
0003106292.tif 000010
【図９】
0003106292.tif 000011